(57)【要約】【課題】共通のコンテンツの翻訳を共同で依頼する場合において、当該コンテンツに最適な翻訳料金、募集口数、及び一口当たりの依頼単価を決定する翻訳依頼管理方法、翻訳依頼管理装置、翻訳依頼管理プログラムを提供する。【解決手段】翻訳依頼者により、翻訳を依頼するＷｅｂコンテンツが入力されると、翻訳可能な翻訳者を決定し（Ｓ１５１）、当該コンテンツがリンク先となっている他のＷｅｂコンテンツを検索し、記述されているリンク記述の数を翻訳ニーズとして決定し、この翻訳ニーズに適当な翻訳料金、募集口数、及び依頼単価を決定する（Ｓ１５３）。この条件で、翻訳依頼者は応募する口数を申請し（Ｓ１５７）申請された口数の総計に依頼単価を乗算した金額が翻訳料金以上となった場合（Ｓ１６９：ＹＥＳ）、翻訳者により発注処理がなされる。【選択図】図１５
2009110145.tif 000002
【特許請求の範囲】
【請求項１】
ネットワークに接続可能な翻訳依頼管理装置により処理される翻訳依頼管理方法であって、
ネットワークに接続したユーザ端末から出力され、コンテンツの特定言語への翻訳を依頼する情報である翻訳依頼情報を受け付ける依頼情報受付ステップと、
翻訳者に関する情報であって、翻訳可能な言語の情報を少なくとも含む翻訳者情報を記憶した翻訳者情報記憶手段を参照し、前記依頼情報受付ステップにより受け付けた翻訳依頼情報の示すコンテンツの特定言語への翻訳が可能な翻訳者を決定する翻訳者決定ステップと、
前記依頼情報受付ステップにより受け付けた翻訳依頼情報の示すコンテンツに対する、翻訳が要求されている度合の情報である翻訳ニーズ情報を算出するニーズ算出ステップと、
前記ニーズ算出ステップにより算出した翻訳ニーズ情報に応じて、翻訳を共同依頼する場合の募集口数である翻訳依頼口数と、一口あたり負担する料金である依頼単価料金とを決定する翻訳料金決定ステップと、
ネットワークに接続したユーザ端末から出力され、前記コンテンツの翻訳を依頼する翻訳依頼者が前記翻訳依頼口数の一部または全部を負担するために申請する口数を示す口数情報を受け付ける依頼口数受付ステップと、
前記依頼口数受付ステップにより受け付けた口数情報の示す口数の総計が、前記翻訳依頼口数以上となった場合に、翻訳依頼者より、当該翻訳依頼者の申請した口数と前記依頼単価料金とを乗算した料金を請求する料金請求ステップと、
前記依頼口数受付ステップにより受け付けた口数情報の示す口数の総計が、前記翻訳依頼口数以上となった場合に、翻訳者に対して前記コンテンツの翻訳依頼を通知する翻訳依頼通知ステップとを備えたことを特徴とする翻訳依頼管理方法。
【請求項２】
前記翻訳料金決定ステップは、
前記ニーズ算出ステップにより算出した翻訳ニーズ情報に応じて、翻訳に必要な料金である翻訳総計料金を決定し、
前記翻訳料金決定ステップにより決定した翻訳総計料金に基づき、翻訳依頼口数と依頼単価料金との乗算結果が当該翻訳総計料金と同値となるような翻訳依頼口数と依頼単価料金を定める料金割合決定ステップをさらに備えたことを特徴とする請求項１に記載の翻訳依頼管理方法。
【請求項３】
ネットワークに接続可能な翻訳依頼管理装置であって、
ネットワークに接続したユーザ端末からのコンテンツの特定言語への翻訳を依頼する翻訳依頼情報を、ネットワークを介して受け付ける依頼情報受付手段と、
翻訳者に関する情報であって、翻訳可能な言語の情報を少なくとも記憶した翻訳者情報記憶手段を参照し、前記依頼情報受付手段により受け付けた翻訳依頼情報の示すコンテンツの特定言語への翻訳が可能な翻訳者を決定する翻訳者決定手段と、
前記依頼情報受付手段にて受け付けた翻訳依頼情報の示すコンテンツに対する、翻訳が要求されている度合の情報である翻訳ニーズ情報を算出するニーズ算出手段と、
前記ニーズ算出手段により算出した翻訳ニーズ情報に応じ、翻訳を共同依頼する場合の募集口数である翻訳依頼口数と、一口あたりの負担料金である依頼単価料金とを決定する翻訳料金決定手段と、
ネットワークに接続したユーザ端末からの、前記コンテンツの翻訳を依頼する翻訳依頼者が申請する口数を示す口数情報を、ネットワークを介して受け付ける依頼口数受付手段と、
前記依頼口数受付手段により受け付けた口数情報の示す口数の総計が、前記翻訳依頼口数以上となった場合に、翻訳依頼者に対して、当該翻訳依頼者の申請した口数と前記依頼単価料金とを乗算した料金を請求する料金請求手段と、
前記依頼口数受付手段により受け付けた口数情報の示す口数の総計が、前記翻訳依頼口数以上となった場合に、翻訳者に対して前記コンテンツの翻訳依頼を通知する翻訳依頼通知手段とを備えたことを特徴とする翻訳依頼管理装置。
【請求項４】
請求項１又は２のいずれかに記載の翻訳依頼管理方法の各種処理ステップをコンピュータに実施させる翻訳依頼管理プログラム。
【発明の詳細な説明】
【技術分野】
【０００１】
本発明は、翻訳依頼管理方法、翻訳依頼管理装置、及び翻訳依頼管理プログラムに関し、詳細には、共同翻訳依頼時において適切な募集口数と一口当たりの単価とを設定できる翻訳依頼管理方法、翻訳依頼管理装置、及び翻訳依頼管理プログラムに関する。
【背景技術】
【０００２】
ネットワークを介し、製品の購入を希望する複数人がまとまった数量を共同購入することにより、割引率の高い条件で当該製品を購入できる共同購入システムが提案されている。このようなシステムにおいては、あらかじめ募集人数の目安が定められ、購入希望者がこの募集人数に達した時点で条件が成立し発注がなされる。このことにより、販売者側でまとまった数量の製品を一括して仕入れることができ、製品単価を下げることが可能となっている。また、例えば、特許文献１に記載の電子商取引方法においては、購入側の発起人が募集人数を提示し、販売者がこの条件に適正な割引率を設定することによって、購入側と販売側との調整を図っている（特許文献１参照）。
【特許文献１】特開２００２−２６９３８８号公報
【発明の開示】
【発明が解決しようとする課題】
【０００３】
しかしながら、購入対象物のニーズが低い場合に募集人数を大きく設定した場合には、実際の募集者が募集人数に到達せず、発注が成立しない場合がある。また逆に、ニーズが高いにもかかわらず募集人数を小さく設定した場合には、より高い割引率で製品を購入できたにもかかわらず、募集人数に希望者の人数が到達した時点で発注がなされてしまうため、問題であった。
【０００４】
加えて、購入対象物が特定のコンテンツを翻訳した翻訳結果である場合においては、翻訳依頼者は高額な翻訳費用を分担して支払うことができるばかりでなく、翻訳依頼者人数に応じた割引率を上述の製品の共同購入の場合と比較して大きく設定できるという利点があるものの、翻訳依頼者人数と分担金の適正な設定が難しく、結果として発注に結び付かない可能性があり問題である。
【０００５】
本発明は上記課題を解決するためになされたものであり、適正な募集人数と価格とを提示できる翻訳依頼管理方法、翻訳依頼管理装置、及び翻訳依頼管理プログラムを提供することを目的とする。
【課題を解決するための手段】
【０００６】
上記課題を解決するために、請求項１に係る発明の翻訳依頼管理方法は、ネットワークに接続可能な翻訳依頼管理装置により処理される翻訳依頼管理方法であって、ネットワークに接続したユーザ端末から出力され、コンテンツの特定言語への翻訳を依頼する情報である翻訳依頼情報を受け付ける依頼情報受付ステップと、翻訳者に関する情報であって、翻訳可能な言語の情報を少なくとも含む翻訳者情報を記憶した翻訳者情報記憶手段を参照し、前記依頼情報受付ステップにより受け付けた翻訳依頼情報の示すコンテンツの特定言語への翻訳が可能な翻訳者を決定する翻訳者決定ステップと、前記依頼情報受付ステップにより受け付けた翻訳依頼情報の示すコンテンツに対する、翻訳が要求されている度合の情報である翻訳ニーズ情報を算出するニーズ算出ステップと、前記ニーズ算出ステップにより算出した翻訳ニーズ情報に応じて、翻訳を共同依頼する場合の募集口数である翻訳依頼口数と、一口あたり負担する料金である依頼単価料金とを決定する翻訳料金決定ステップと、ネットワークに接続したユーザ端末から出力され、前記コンテンツの翻訳を依頼する翻訳依頼者が前記翻訳依頼口数の一部または全部を負担するために申請する口数を示す口数情報を受け付ける依頼口数受付ステップと、前記依頼口数受付ステップにより受け付けた口数情報の示す口数の総計が、前記翻訳依頼口数以上となった場合に、翻訳依頼者より、当該翻訳依頼者の申請した口数と前記依頼単価料金とを乗算した料金を請求する料金請求ステップと、前記依頼口数受付ステップにより受け付けた口数情報の示す口数の総計が、前記翻訳依頼口数以上となった場合に、翻訳者に対して前記コンテンツの翻訳依頼を通知する翻訳依頼通知ステップとを備えている。
【０００７】
また、請求項２に係る発明の翻訳依頼管理方法は、請求項１に記載の発明の構成に加え、前記ニーズ算出ステップにより算出した翻訳ニーズ情報に応じて、翻訳に必要な料金である翻訳総計料金を決定し、前記翻訳料金決定ステップにより決定した翻訳総計料金に基づき、翻訳依頼口数と依頼単価料金との乗算結果が当該翻訳総計料金と同値となるような翻訳依頼口数と依頼単価料金を定める料金割合決定ステップをさらに備えている。
【０００８】
また、請求項３に係る発明の翻訳依頼管理装置は、ネットワークに接続可能な翻訳依頼管理装置であって、ネットワークに接続したユーザ端末からのコンテンツの特定言語への翻訳を依頼する翻訳依頼情報を、ネットワークを介して受け付ける依頼情報受付手段と、翻訳者に関する情報であって、翻訳可能な言語の情報を少なくとも記憶した翻訳者情報記憶手段を参照し、前記依頼情報受付手段により受け付けた翻訳依頼情報の示すコンテンツの特定言語への翻訳が可能な翻訳者を決定する翻訳者決定手段と、前記依頼情報受付手段にて受け付けた翻訳依頼情報の示すコンテンツに対する、翻訳が要求されている度合の情報である翻訳ニーズ情報を算出するニーズ算出手段と、前記ニーズ算出手段により算出した翻訳ニーズ情報に応じ、翻訳を共同依頼する場合の募集口数である翻訳依頼口数と、一口あたりの負担料金である依頼単価料金とを決定する翻訳料金決定手段と、ネットワークに接続したユーザ端末からの、前記コンテンツの翻訳を依頼する翻訳依頼者が申請する口数を示す口数情報を、ネットワークを介して受け付ける依頼口数受付手段と、前記依頼口数受付手段により受け付けた口数情報の示す口数の総計が、前記翻訳依頼口数以上となった場合に、翻訳依頼者に対して、当該翻訳依頼者の申請した口数と前記依頼単価料金とを乗算した料金を請求する料金請求手段と、前記依頼口数受付手段により受け付けた口数情報の示す口数の総計が、前記翻訳依頼口数以上となった場合に、翻訳者に対して前記コンテンツの翻訳依頼を通知する翻訳依頼通知手段とを備えている。
【０００９】
また、請求項４に係る発明の翻訳依頼管理プログラムは、請求項１又は２のいずれかに記載の翻訳依頼管理方法の各種処理ステップをコンピュータに実施させる。
【発明の効果】
【００１０】
請求項１に係る発明の翻訳依頼管理方法では、ネットワークに接続したユーザ端末から、コンテンツの特定言語への翻訳を依頼する情報である翻訳依頼情報を受け付けた場合に、翻訳者に関する情報であって、翻訳可能な言語の情報を少なくとも含む翻訳者情報を記憶した翻訳者情報記憶手段を参照し、受け付けた翻訳依頼情報の示すコンテンツの特定言語への翻訳が可能な翻訳者を決定する。次に、受け付けた翻訳依頼情報の示すコンテンツに対する、翻訳が要求されている度合の情報である翻訳ニーズ情報を算出し、翻訳ニーズ情報に応じて、翻訳を共同依頼する場合の募集口数である翻訳依頼口数と、一口あたり負担する料金である依頼単価料金とを決定する。そして、コンテンツの翻訳を依頼する翻訳依頼者が翻訳依頼口数の一部または全部を負担するために申請する口数を示す口数情報を受け付け、受け付けた口数情報の示す口数の総計が、翻訳依頼口数以上となった場合に、翻訳依頼者より、翻訳依頼者の申請した口数と依頼単価料金とを乗算した料金を請求する。そして、翻訳者に対して前記コンテンツの翻訳依頼を通知する。すなわち、翻訳依頼者からの翻訳依頼に際し、まず翻訳ニーズ情報を算出し、翻訳ニーズに応じた依頼単価と募集口数を決定する。そして、決定した依頼単価と募集口数に基づき、翻訳依頼者より申請がなされる。よって、算出した翻訳ニーズに応じ適切な募集口数及び依頼単価料金を設定することが可能となるため、発注条件が成立せず発注がなされない状況や、翻訳依頼者が多数であるにも関わらず各翻訳依頼者の料金負担が高額になってしまう状況を防止することが可能となる。
【００１１】
また、請求項２に係る発明の翻訳依頼管理方法では、算出した翻訳ニーズ情報に応じて、翻訳に必要な料金である翻訳総計料金を決定し、決定した翻訳総計料金に基づき、翻訳依頼口数と依頼単価料金との乗算結果が翻訳総計料金と同値となるような翻訳依頼口数と依頼単価料金を定める。従って、請求項１に記載の発明の効果に加え、翻訳対象のコンテンツのニーズに応じた翻訳料金を設定でき、適切な翻訳依頼の価格設定が可能となる。
【００１２】
また、請求項３に係る発明の翻訳依頼管理装置では、依頼情報受付手段により、ネットワークに接続したユーザ端末からコンテンツの特定言語への翻訳を依頼する翻訳依頼情報を受け付ける。次に、翻訳者決定手段により、翻訳者に関する情報であって、翻訳可能な言語の情報を少なくとも記憶した翻訳者情報記憶手段を参照し、依頼情報受付手段により受け付けた翻訳依頼情報の示すコンテンツの特定言語への翻訳が可能な翻訳者を決定する。次に、ニーズ算出手段により、受け付けた翻訳依頼情報の示すコンテンツに対する、翻訳が要求されている度合の情報である翻訳ニーズ情報を算出し、翻訳料金決定手段が、算出した翻訳ニーズ情報に応じ、翻訳を共同依頼する場合の募集口数である翻訳依頼口数と、一口あたりの負担料金である依頼単価料金とを決定する。そして、依頼口数受付手段により、ネットワークに接続したユーザ端末から、コンテンツの翻訳を依頼する翻訳依頼者が申請する口数を示す口数情報を受け付け、受け付けた口数情報の示す口数の総計が、翻訳依頼口数以上となった場合に、料金請求手段により、翻訳依頼者に対して、翻訳依頼者の申請した口数と前記依頼単価料金とを乗算した料金を請求する。そして、翻訳者に対してコンテンツの翻訳依頼を通知する。すなわち、翻訳依頼者からの翻訳依頼に際し、まず翻訳ニーズ情報を算出し、翻訳ニーズに応じた依頼単価と募集口数を決定する。そして、決定した依頼単価と募集口数に基づき、翻訳依頼者より申請がなされる。算出した翻訳ニーズに応じ適切な募集口数及び依頼単価料金を設定することが可能であり、よって、算出した翻訳ニーズに応じ適切な募集口数及び依頼単価料金を設定することが可能となるため、発注条件が成立せず発注がなされない状況や、翻訳依頼者が多数であるにも関わらず各翻訳依頼者の料金負担が高額になってしまう状況を防止することが可能となる。
【００１３】
また、請求項４に係る翻訳依頼管理プログラムでは、コンピュータに実行させることにより、請求項１又は２に記載の効果と同様の効果を奏することができる。
【発明を実施するための最良の形態】
【００１４】
以下、本発明の実施の形態について図面を参照し説明する。本発明では、翻訳を依頼する翻訳依頼者は、同一翻訳対象の翻訳を依頼する他の翻訳依頼者と共同で翻訳依頼を行う。翻訳依頼が行われると、翻訳依頼管理装置は、翻訳対象の翻訳のニーズ（以降、「翻訳ニーズ」という。）を算出し、翻訳に必要な料金（以降、「翻訳料金」という。）、翻訳依頼者から募集する口数（以降、「募集口数」という。）、及び一口当たりの単価（以降、「依頼単価」という。）について、算出した翻訳ニーズに適当な値を決定する。翻訳依頼者は、自身が申し込む口数を申請し（以降、「申込口数」という。）、複数の翻訳依頼者による申込口数の総計が募集口数以上となった時点で、翻訳者に対して翻訳依頼が発注される。このことにより、翻訳依頼者は、安価な料金負担で翻訳を依頼することが可能となる。はじめに、図１及び図２を参照して、翻訳ニーズ決定方法を用いた翻訳依頼システムについて説明する。図１は、翻訳依頼システムの概要を示す模式図であり、図２は、翻訳ニーズ決定の説明図である。
【００１５】
図１に示すように、インターネット５には、管理サーバ１、Ｗｅｂサーバ３６、３７、３８、翻訳依頼者クライアント２６、翻訳者クライアント２７、翻訳利用者クライアント２８が接続しており、それぞれの端末はインターネット５を介して接続可能となっている。また、管理サーバ１には、リンク管理データベース（以降、「リンク管理ＤＢ」という。）１５１１と依頼データベース（以降、「依頼ＤＢ」という。）１５１２とが接続している。以下、翻訳依頼者クライアント２６、翻訳者クライアント２７、翻訳利用者クライアント２８を総称してクライアント２、Ｗｅｂサーバ３６，３７、３８を総称してＷｅｂサーバ３という。なお、クライアント２は、いずれも所謂パーソナルコンピュータと言われる汎用機である。また、Ｗｅｂサーバ３は、Ｗｅｂページを提供するサーバであり、便宜上、Ｗｅｂページの内容に応じてＷｅｂサーバ３６，３７，３８を使い分けている。そして、本実施の形態では、インターネットに接続したＷｅｂサーバ３に公開されているＷｅｂページ３１６を「コンテンツ」として扱う。
【００１６】
本実施の形態では、管理サーバ１は、所謂「検索ロボット」の機能を用いて、インターネット５に公開されているＷｅｂページ３１６、３１７，３１８を検索し、その中に記載されているリンク記述（他のＷｅｂページへのリンクを示す記載、例えば「href」タグによる記載）を抽出して、リンク管理ＤＢ１５１１を構築する。このリンク管理ＤＢ１５１１には、リンク元コンテンツのＵＲＩ（以降「リンク元ＵＲＩ」という。）とリンク先コンテンツのＵＲＩ（以降「リンク先ＵＲＩ」という。）とが対応して記憶されている（図４参照）。このリンク管理ＤＢ１５１１を利用して、翻訳ニーズを決定する。
【００１７】
本実施の形態の翻訳依頼管理システムでは、このリンク管理ＤＢ１５１１を利用して決定された翻訳ニーズに基づいて翻訳料金、募集口数、依頼単価を決定する。翻訳ニーズが低い場合は、募集口数を小さく設定することにより、翻訳依頼者が少ない場合でも翻訳依頼がなされるようにし、翻訳ニーズが高い場合は、募集口数を大きく設定することにより、多くの翻訳依頼者に対応すると共に、一口当たりの依頼単価を低く設定することにより、各翻訳依頼者の料金負担を軽減している。
【００１８】
ここで、図２を参照して、翻訳ニーズの決定方法について簡単に説明する。なお、本発明は以下に示す翻訳ニーズの決定方法に限定されるものではなく、他の方法により翻訳ニーズを決定してもかまわない。図２に示すように、リンク先コンテンツ３２０に対して、リンク元コンテンツ３３１〜３３４がリンクを張っている。ここで、リンク先コンテンツ３２０の記載言語は英語である。それに対して、リンク元コンテンツ３３１，３３２，３３３は日本語、リンク元コンテンツ３３４はフランス語である。このことから、リンク先コンテンツ３２０に対して、日本語を使用するユーザや、フランス語を利用するユーザが、何らかの関心を持っていることがわかる。したがって、他にも日本語を使用するユーザや、フランス語を利用するユーザがリンク先コンテンツに興味を示している可能性が高いと考えられる。そこで、リンク先コンテンツを日本語やフランス語に翻訳するニーズ（翻訳ニーズ）があると考えられる。また、本実施の形態では、リンク元コンテンツ中のリンク記述の数を計数する。例えば、リンク元コンテンツ３３１にリンク先コンテンツ３２０へのリンク記述が３つ、リンク元コンテンツ３３２にリンク先コンテンツ３２０へのリンク記述が１つ、リンク元コンテンツ３３３にリンク先コンテンツ３２０へのリンク記述が５つあるとすると、日本語のリンク元コンテンツにおけるリンク記述は合計９つとなる。そして、リンク元コンテンツ３３４にリンク先コンテンツ３２０へのリンク記述が２つあるとすると、フランス語のリンク元コンテンツにおけるリンク記述の合計は２つとなる。そこで、フランス語を利用するユーザよりも、日本語を利用するユーザの方がリンク先コンテンツに対して興味を持つ人数が多いことが推定される。そこで、フランス語への翻訳ニーズよりも、日本語への翻訳ニーズの方が高いと捉えることができる。リンク記述は、翻訳ニーズ記憶エリア１１１（図５参照、後述）に記憶される。
【００１９】
次に、図３を参照して、管理サーバ１について説明する。図３は、管理サーバ１のハードウェア構成を示す模式図である。図３に示すように、管理サーバ１には、管理サーバ１の制御を司るＣＰＵ１０が設けられ、ＣＰＵ１０には、各種のデータを一時的に記憶するＲＡＭ１１と、ＢＩＯＳ等を記憶したＲＯＭ１２と、データの受け渡しの仲介を行うＩ／Ｏインタフェイス１４とが接続されている。Ｉ／Ｏインタフェイス１４には、ハードディスク装置１５が接続される。そして、当該ハードディスク装置１５には、翻訳者情報記憶エリア１５１と、翻訳依頼者情報記憶エリア１５２と、依頼ＤＢ記憶エリア１５３と、依頼状況記憶エリア１５４と、原文記憶エリア１５５と、翻訳結果記憶エリア１５６と、リンク管理ＤＢ記憶エリア１５７と、管理プログラム記憶エリア１５８と、その他の情報記憶エリア１５９とが少なくとも設けられている。
【００２０】
なお、翻訳者情報記憶エリア１５１には、翻訳者に関する情報が記憶され、翻訳依頼者情報記憶エリア１５２には翻訳依頼者に関する情報が記憶され、依頼ＤＢ記憶エリア１５３には、依頼ＤＢ１５１２が記憶され、依頼状況記憶エリア１５４には、翻訳依頼者の申請した口数の情報が記憶され、原文記憶エリア１５５には、翻訳依頼されたコンテンツの原文が記憶され、翻訳結果記憶エリア１５６には、翻訳依頼されたコンテンツが翻訳された場合の翻訳結果（以降「翻訳結果コンテンツ」という。）が記憶され、リンク管理ＤＢ記憶エリア１５７には、リンク管理ＤＢ１５１１が記憶され、管理プログラム記憶エリア１５８には、ＣＰＵ１０で実行されるプログラムが記憶され、その他の情報記憶エリア１５９には、クライアント２（図１参照）のブラウザ画面に表示させる画面のフォームや一時データなど、管理サーバ１で使用されるその他の情報が記憶される。
【００２１】
また、Ｉ／Ｏインタフェイス１４には、マウスコントローラ１８と、ビデオコントローラ１６と、キーコントローラ１７と、通信装置１９とが接続されている。そして、マウスコントローラ１８にはマウス１８１が接続され、ビデオコントローラ１６にはディスプレイ１６１が接続され、キーコントローラ１７にはキーボード１７１が接続され、通信装置１９はインターネット５に接続可能となっている。
【００２２】
次に、図４を参照して、リンク管理ＤＢ記憶エリア１５７について説明する。図４に示すように、リンク管理ＤＢ記憶エリア１５７には、リンク管理ＤＢ１５１１が記憶されている。そして、リンク管理ＤＢ１５１１にはリンク先ＵＲＩ欄及びリンク元ＵＲＩ欄が設けられており、検索ロボットにより回収されたリンク先ＵＲＩ及びリンク元ＵＲＩが対応付けられて記憶される。なお、図４において１行に記載されている情報のまとまりが１エントリである。また、図５〜図１０においても同様とする。
【００２３】
図４に示す例では、「http://www.bbbb.com/news/200709150045.html」のリンク先ＵＲＩを含むリンク元ＵＲＩとして「http://blogs.dddd.ne.jp/hanako/12345.html」が記憶されており、「http://www.eeee.com/inenews/20070915101008.html」のリンク先ＵＲＩを含むリンク元ＵＲＩとして「http://blogs.dddd.ne.jp/hanako/12345.html」が記憶されており、「http://www.bbbb.com/news/200709150045.html」のリンク先ＵＲＩを含むリンク元ＵＲＩとして「http://www.bbbb.co.jp/kaisetu/20070235.html」が記憶されており、「http://www.bbbb.com/news/200709150045.html」のリンク先ＵＲＩを含むリンク元ＵＲＩとして「http://www.bbbb.fr/news/200709150045.html」が記憶されており、「http://www.bbbb.com」のリンク先ＵＲＩを含むリンク元ＵＲＩとして「http://www.bbbb.fr/news/200709150045.html」が記憶されており、「http://www.bbbb.com/news/200709150045.html」のリンク先ＵＲＩを含むリンク元ＵＲＩとして「http://spspsp.com/eses」が記憶されており、「http://www.bbbb.com/news/2007091000222.html」のリンク先ＵＲＩを含むリンク元ＵＲＩとして「http://www.bbbb.co.jp/kaisetu/20070219.html」が記憶されており、「http://www.bbbb.com」のリンク先ＵＲＩを含むリンク元ＵＲＩとして「http://www.bbbb.co.jp/kaisetu/20070219.html」が記憶されている。
【００２４】
次に、図５を参照して、管理サーバ１のＲＡＭ１１に設けられている翻訳ニーズ記憶エリア１１１について説明する。図５は、翻訳ニーズ記憶エリア１１１の構成の一例を示す模式図である。図５に示すように、翻訳ニーズ記憶エリア１１１には、言語欄が設けられている。言語欄には、翻訳依頼システムにおいて翻訳を受けることのできる言語が記憶されている。図５に示す例では、日本語、フランス語、スペイン語、英語、中国語が示されており、他の言語は省略されている。そして、これらの言語に対応して登録数欄、ニーズ欄が設けられている。登録数欄には、翻訳依頼されたコンテンツ（以降、「依頼コンテンツ」という。）がリンク先コンテンツとしてリンク管理ＤＢ１５１１に登録されているエントリ数が記憶される。ニーズ欄には、決定された翻訳ニーズを示す値が記憶される。なお、翻訳ニーズの決定方法については、後述（図１７）にて詳説する。
【００２５】
例えば、図５に示す例では「日本語」（言語）を含むエントリの登録数は「４」であり、翻訳ニーズは「４」（ニーズ：「４」）となっている。また、「フランス語」（言語）を含むエントリの登録数は「０」であり、翻訳ニーズは「０」（ニーズ：「０」）となっている。また、「スペイン語」（言語）を含むエントリの登録数は「１」であり、翻訳ニーズは「１」（ニーズ：「１」）となっている。また、「英語」（言語）を含むエントリの登録数は「０」であり、翻訳ニーズは「０」（ニーズ：「０」）となっている。また、「中国語」（言語）を含むエントリの登録数は「０」であり、翻訳ニーズは「０」（ニーズ：「０」）となっている。
【００２６】
次に、図６を参照して、管理サーバのＲＡＭ１１に設けられている依頼条件記憶エリア１１２について説明する。図６は、依頼条件記憶エリア１１２の構成の一例を示す模式図である。図６に示すように、依頼条件記憶エリア１１２には、ニーズ欄が設けられている。ニーズ欄には、決定される翻訳ニーズの値の範囲が記憶されている。そして、これらに対応して翻訳料金欄、募集口数欄、依頼単価欄が設けられている。翻訳料金には、翻訳料金が記憶される。募集口数欄には、募集口数が記憶される。依頼単価欄には、依頼単価が記憶される。なお翻訳料金、募集口数、及び依頼単価には、『「翻訳料金」＝「募集口数」×「依頼単価」』の関係が成立している。
【００２７】
例えば、図６に示す例では、１つめのエントリのニーズは「〜１０」であり、この範囲の翻訳ニーズを有するコンテンツの翻訳料金は「４００，０００円」であり、募集口数は「１０」であり、一口当たりの依頼単価は「４０，０００円」である。また、２つめのエントリのニーズは「１１〜５０」であり、この範囲の翻訳ニーズを有するコンテンツの翻訳料金は「８００，０００円」であり、募集する口数は「４０」であり、一口当たりの依頼単価は「２０，０００円」である。また、３つめのエントリのニーズは「５１〜１００」であり、この範囲の翻訳ニーズを有するコンテンツの翻訳料金は「１，６００，０００円」であり、募集口数は「１６０」であり、一口当たりの依頼単価は「１０，０００円」である。また、４つめのエントリのニーズは「１０１〜５００」であり、この範囲の翻訳ニーズを有するコンテンツの翻訳料金は「３，２００，０００円」であり、募集口数は「６４０」であり、一口当たりの依頼単価は「５，０００円」である。また、５つめのエントリのニーズは「５０１〜」であり、この範囲の翻訳ニーズを有するコンテンツの翻訳料金は「６，４００，０００円」であり、募集口数は「２，５６０」であり、一口当たりの依頼単価は「２，５００円」である。図６の例に示すように、翻訳ニーズの小さいコンテンツは、翻訳依頼者からの申込口数の総計が少ない場合でも翻訳依頼が確実になされるように、募集口数を少なく設定する一方、依頼単価を高く設定して翻訳料金が安価になり過ぎないようにしている。また、翻訳ニーズの大きいコンテンツは、翻訳依頼者からの申込口数の総計が多いことが想定されるため、募集口数を多く、一口当たりの依頼単価を低く設定することにより、各翻訳依頼者の料金負担を軽減している。
【００２８】
次に、図７〜図１０を参照し、管理サーバ１のハードディスク装置１５（図３参照）に記憶されている記憶エリアについて説明する。図７は、翻訳者情報記憶エリア１５１の構成の一例を示す模式図であり、図８は、翻訳依頼者情報記憶エリア１５２の構成の一例を示す模式図であり、図９は、依頼ＤＢ記憶エリア１５１２の構成の一例を示す模式図であり、図１０は、依頼状況記憶エリア１５４の構成の一例を示す模式図である。
【００２９】
はじめに、図７を参照して、翻訳者情報記憶エリア１５１の構成の一例について説明する。図７に示すように、翻訳者情報記憶エリア１５１には、番号欄が設けられている。そして番号欄に記憶されている番号（以降、「翻訳者番号」という。）に対応して、氏名欄、住所欄、振込み口座欄、連絡先欄、翻訳可能言語欄が少なくとも設けられている。氏名欄には翻訳者の氏名が記憶され、住所欄には、翻訳者の住所が記憶され、振込口座欄には、翻訳者へ支払う翻訳料金を振り込む銀行口座の情報が記憶され、連絡先欄には、翻訳者に連絡をするための連絡先が記憶され、翻訳可能言語欄には、翻訳を行うことができる言語の情報が記憶される。これらの情報を参照することにより、依頼コンテンツの翻訳先言語への翻訳の可否を判断し、翻訳者へ翻訳依頼を通知している。また、翻訳者への翻訳料金の支払いが可能となる。
【００３０】
例えば、図７に示す例では、翻訳者番号「Ｔ１」の翻訳者「伊藤花子」は、住所が「東京都××区△△町１丁目」であり、振込口座は「Ｂ銀行Ｂ支店  普通１２３４５６」であり、連絡先は「hanako@abc.com」であり、そして、日本語から英語への翻訳、英語から日本語への翻訳を行うことができることを示している。また、翻訳者番号「Ｔ２」の翻訳者「佐藤次郎」は、住所が「大阪府△△市××町２丁目」であり、振込口座は「Ｃ銀行Ｃ支店  普通１２３４５６」であり、連絡先は「jiro@cde.com」であり、そして、日本語からフランス語への翻訳、フランス語から日本語への翻訳を行うことができることを示している。また、翻訳者番号「Ｔ３」の翻訳者「小島三郎」は、住所が「静岡県△△市××町３丁目」であり、振込口座は「Ｄ銀行Ｄ支店  普通１２３４５６」であり、連絡先は「saburo@cde.com」であり、そして、日本語から英語への翻訳、英語から日本語への翻訳を行うことができることを示している。
【００３１】
次に、図８を参照して、翻訳依頼者情報記憶エリア１５２の構成の一例について説明する。図８に示すように、翻訳依頼者情報記憶エリア１５２には、番号欄が設けられている。そして、番号欄に記憶されている番号（以降、「翻訳依頼者番号」という。）に対応して、氏名欄、住所欄、振込み口座欄、クレジットカード番号欄、クレジットカード期限欄、連絡先欄が少なくとも設けられている。氏名欄には翻訳依頼者の氏名が記憶され、住所欄には、翻訳依頼者の住所が記憶され、振込み口座欄には、翻訳依頼者へ支払う料金を振り込む銀行口座の情報が記憶され、クレジットカード番号欄には、翻訳を依頼するために必要な料金を請求するクレジットカードの番号情報が記憶され、クレジットカード期限には、クレジットカードの有効期限が記憶され、連絡先欄には、翻訳依頼者への連絡先が記憶される。これらの情報を参照することにより、翻訳依頼者からの申込口数に応じた料金の請求等を実現している。
【００３２】
例えば、図８に示す例では、翻訳依頼者番号「Ｒ１」の翻訳依頼者「山田太郎」は、住所が「愛知県△△市○○区××町３丁目」であり、振込口座は「Ａ銀行Ａ支店  普通１２３４５６」であり、クレジットカード番号は「１２３４−５６７８−９０」であり、クレジットカード有効期限は「平成１０年１月１日」であり、連絡先は「taro@abc.com」である。また、翻訳依頼者番号「Ｒ２」の翻訳依頼者「鈴木幸子」は、住所が「神奈川県××市○○町５丁目」であり、振込口座は「Ａ銀行本店  普通３４５６７８」であり、クレジットカード番号は「０９８７−６５４３−２１」であり、クレジットカード有効期限は「平成０８年１２月３１日」であり、連絡先は「sachiko@xyz.com」である。
【００３３】
次に、図９を参照して、依頼ＤＢ記憶エリア１５３に記憶されている依頼ＤＢ１５１２の構成の一例について説明する。依頼ＤＢ１５１２には、翻訳依頼者より依頼された翻訳依頼に関する情報が記憶されている。図９に示すように、依頼ＤＢ１５１２には、翻訳依頼番号欄が設けられている。そして、翻訳依頼番号欄に記憶されている翻訳依頼番号に対応して、翻訳依頼者番号欄、翻訳者番号欄、発注状況欄、依頼ＵＲＩ欄、原文ＵＲＩ欄、翻訳元言語欄、翻訳先言語欄、翻訳結果ＵＲＩ欄、翻訳期間欄、発注期限日欄、翻訳料金欄、依頼単価欄、募集口数欄、翻訳完了連絡先欄、利用料金欄が設けられている。翻訳依頼者番号欄には、同一エントリの内容の翻訳依頼を登録した翻訳依頼者を特定する翻訳依頼者番号であり、翻訳依頼者情報記憶エリア１５２（図８参照）の番号欄に対応した翻訳依頼者番号が記憶される。翻訳者番号欄には、同一エントリの内容の翻訳を担当する翻訳者を特定する翻訳者番号であり、翻訳者情報記憶エリア１５１（図７参照）の番号欄に対応した翻訳者番号が記憶される。発注状況には、同一エントリの内容の翻訳依頼の進行状況が記憶され、未だ発注がなされていない場合には「未発注」が記憶され、既に発注がなされている場合には「発注済み」が記憶される。また、依頼ＵＲＩ欄には、翻訳依頼された依頼コンテンツの所在を示すＵＲＩ（以下、「依頼ＵＲＩ」という）が記憶され、原文ＵＲＩ欄には、依頼ＵＲＩを参照して取得した依頼コンテンツの原文（以降「原文コンテンツ」という。）を記憶している場所を示すＵＲＩが記憶される。また、翻訳元言語欄には、依頼コンテンツの記載言語が記載され、翻訳先言語欄には、依頼コンテンツを翻訳する言語の情報が記憶される。また、翻訳結果ＵＲＩ欄には、翻訳結果コンテンツが登録された場合に、当該翻訳結果コンテンツの所在を示すＵＲＩが記憶される。また、翻訳期間欄には、依頼コンテンツの翻訳依頼の発注がなされてから完了するまでの期間が記憶される。また、翻訳料金欄には、依頼条件記憶エリア１１２（図６参照）を参照して決定される翻訳料金が記憶される。また、発注期限日欄には、翻訳依頼の発注の期限日が記憶される。また、依頼単価欄には、依頼条件記憶エリア１１２（図６参照）を参照して決定される依頼単価が記憶される。また、募集口数欄には、依頼条件記憶エリア１１２（図６参照）を参照して決定される募集口数が記憶される。また、翻訳完了連絡先欄には、依頼コンテンツの翻訳が完了した場合に通知を行う連絡先が記憶される。また、利用料金欄には、申込口数を申請して依頼コンテンツの翻訳を依頼した翻訳依頼者以外の者であって、当該依頼コンテンツの翻訳結果コンテンツの取得を希望する者（以降「翻訳利用者」という。）が、取得の為に支払う料金である利用料金が記憶される。
【００３４】
例えば、図９に示す例では、翻訳依頼番号「１」の翻訳依頼は、依頼ＵＲＩ「http://www.bbbb.co.jp」のＷｅｂページに対する翻訳依頼者番号「Ｒ１」の翻訳依頼者の依頼であり、翻訳者番号「Ｔ１」の翻訳者により翻訳が行われる。そして、翻訳を行った時点での原文は、「http://www.bbbb.co.jp/A1.html」に記憶されており、翻訳結果は、「http://www.bbbb.co.jp/B1.html」に記憶されている。なお、原文の言語は英語であり、翻訳後の言語は日本語である。また、翻訳期間は「２８日」であり、発注期限日は「２００７年１１月１０日」であり、翻訳料金は「８００，０００円」であり、募集口数は「４０口」であり、依頼単価は「２０，０００円」である。また、利用料金は「２５，０００円」である。また、翻訳依頼番号「２」の翻訳依頼は、依頼ＵＲＩ「http://www.cccc.co.fr」のＷｅｂページに対する翻訳依頼者番号「Ｒ１」の翻訳依頼者の依頼である。そして、翻訳者番号「Ｔ２」の翻訳者により翻訳が行われる。そして、翻訳を行った時点での原文は、「http://www.bbbb.co.jp/A2.html」に記憶されており、現在翻訳中である。なお、原文の言語はフランス語であり、翻訳後の言語は日本語である。また、翻訳期間は「２０日」であり、発注期限日は「２００７年１２月５日」であり、翻訳料金は「４００，０００円」であり、募集口数は「１０口」であり、依頼単価は「４０，０００円」である。翻訳完了後に、完了の旨の通知を「goro@abc.com」に連絡することとなっている。また、利用料金は「４０，０００円」である。また、翻訳依頼番号「３」の翻訳依頼は、依頼ＵＲＩ「http://www.dddd.co.jp」のＷｅｂページに対する翻訳依頼者番号「Ｒ４」の翻訳依頼者の依頼である。そして、翻訳者番号「Ｔ１」の翻訳者により翻訳が行われる予定であるが、未だ発注されていない。そして、翻訳を行う原文は、「http://www.bbbb.co.jp/A3.html」に記憶されており、原言語は日本語であり、翻訳後の言語は英語である。また、翻訳期間は「１４日」であり、発注期限日は「２００８年１月５日」であり、翻訳料金は「３，２００，０００円」であり、募集口数は「６４０」であり、依頼単価は「５０，０００円」ある。また、利用料金は「５，０００円」である。また、翻訳依頼番号「４」の翻訳依頼は、依頼ＵＲＩ「http://www.eeee.co.jp」のＷｅｂページに対する翻訳依頼者番号「Ｒ４」の翻訳依頼者の依頼である。そして、翻訳者番号「Ｔ２」の翻訳者により翻訳が行われる予定であるが、未だ発注されていない。そして、翻訳を行う原文は、「http://www.bbbb.co.jp/A4.html」に記憶されており、原文の言語は日本語であり、翻訳後の言語はフランス語である。また、翻訳期間は「２８日」であり、発注期限日は「２００８年２月１０日」であり、翻訳料金は「６，４００，０００円」であり、募集口数は「２５６０」であり、依頼単価は「２，５００円」である。また、利用料金は「５，０００円」である。また、翻訳依頼番号「５」の翻訳依頼は、依頼ＵＲＩ「http://www.ffff.co.jp」のＷｅｂページに対する翻訳依頼者番号「Ｒ２」の翻訳依頼者の依頼である。そして、翻訳者番号「Ｔ３」の翻訳者により翻訳が行われる予定であるが、未だ発注されていない。そして、翻訳を行う原文は、「http://www.bbbb.co.jp/A5.html」に記憶されており、原文の言語は英語であり、翻訳後の言語は日本語である。また、翻訳期間は「２８日」であり、発注期限日は「２００７年１１月３０日」であり、翻訳料金は「１，６００，０００円」であり、募集口数は「１６０」であり、依頼単価は「１０，０００円」である。また、利用料金は「１５，０００円」である。
【００３５】
次に、図１０を参照して、依頼状況記憶エリア１５４の構成の一例について説明する。依頼状況記憶エリア１５４には、依頼コンテンツの翻訳を依頼する翻訳依頼者と、その申込口数の情報が記憶される。図１０に示すように、依頼状況記憶エリア１５４には、翻訳依頼番号欄が設けられている。翻訳依頼番号欄には、翻訳依頼を特定するための番号であり、依頼ＤＢ１５１２の翻訳依頼番号欄（図９参照）に記憶されている翻訳依頼番号が記憶される。そして、この翻訳依頼番号に対応して、翻訳依頼者番号欄、申込口数欄が設けられている。翻訳依頼者番号欄には、同一エントリの翻訳依頼番号に対応する翻訳依頼に対して口数を申込んだ翻訳依頼者、及び、口数を申込み翻訳依頼に参加する翻訳依頼者（以降「依頼参加者」という。）の翻訳依頼者番号が記憶される。この番号は、翻訳依頼者情報記憶エリア１５２の番号欄（図８参照）に記憶されている翻訳依頼番号に対応している。また、申込口数欄には、同一エントリの翻訳依頼者番号の翻訳依頼者からの申込口数が記憶される。これらの情報を参照することにより、翻訳依頼に対する翻訳依頼者及び依頼参加者の人数と、申し込まれた申込口数とを把握することが可能となっている。
【００３６】
例えば、図１０に示す例では、翻訳依頼番号「１」の翻訳依頼について、「Ｒ１」「Ｒ２」「Ｒ３」「Ｒ４」・・・「Ｒ１００」の翻訳依頼者番号の翻訳依頼者が翻訳を依頼しており、それぞれが申し込んだ申込口数は「Ｒ１」が「５口」であり、「Ｒ２」が「１口」であり、「Ｒ３」が「２口」であり、「Ｒ４」が「１０口」であり・・・「Ｒ１００」が「１口」である。また、翻訳依頼番号「３」の翻訳依頼について、「Ｒ４」の翻訳依頼者が翻訳を依頼しており、申し込んだ申込口数は「２０口」である。
【００３７】
次に、図１１〜図１３を参照し、翻訳依頼者がクライアント２（図１参照）を介して翻訳依頼を入力する場合において、クライアント２（図１参照）に表示される画面について説明する。図１１は、翻訳依頼者が依頼ＵＲＩを入力する依頼ＵＲＩ入力画面の一例であり、図１２は、翻訳依頼者が応募口数や利用料金等の依頼条件を入力する依頼条件入力画面の一例であり、図１３は、依頼参加者が申込口数を入力する参加条件入力画面の一例である。
【００３８】
はじめに、図１１を参照し、依頼ＵＲＩ入力画面の一例について説明する。依頼ＵＲＩ画面は、クライアント２（図１参照）より表示される、依頼ＵＲＩと翻訳言語とを入力するための画面であり、翻訳依頼管理処理における一連の表示画面のうち最初に表示される画面である。
【００３９】
図１１に示すように、依頼ＵＲＩ入力画面には、翻訳対象ＵＲＩ欄と、言語選択欄とが設けられている。このうち、翻訳対象ＵＲＩ欄は、依頼ＵＲＩを入力するために設けられており、言語選択欄は、指定した依頼ＵＲＩに記憶されている依頼コンテンツをどの言語に翻訳するかを入力するために設けられている。そして本画面にて入力された依頼ＵＲＩ及び言語の情報は、ハードディスク装置１５のその他の情報記憶エリア１５９（図３参照）に一時的に記憶される。例えば、図１１に示す例においては、「http://bbbb.co.jp/A1.html」の依頼ＵＲＩに記憶されている依頼コンテンツを「日本語」に翻訳するという依頼内容が入力されている。
【００４０】
次に、図１２を参照し、依頼条件入力画面の一例について説明する。依頼条件入力画面は、翻訳依頼者が依頼コンテンツの翻訳を依頼する場合において翻訳条件を入力するための画面であり、依頼ＵＲＩ入力画面（図１１参照）にて依頼ＵＲＩ及び翻訳言語が入力された後に、クライアント２（図１参照）より表示される。
【００４１】
図１２に示すように、依頼条件入力画面には、翻訳対象ＵＲＩ欄、翻訳期間欄、翻訳料金欄、依頼単価欄、募集口数欄、申込口数欄、利用料金欄、発注期限日欄、納付期限日欄、「ＯＫ」ボタン、「キャンセル」ボタンが設けられている。このうち、翻訳対象ＵＲＩ欄は、依頼ＵＲＩが表示される欄であり、依頼ＵＲＩ入力欄（図１１参照）にて入力された依頼ＵＲＩがハードディスク装置１５のその他の情報記憶エリア１５９（図３参照）より読み出され表示される。
【００４２】
翻訳期間欄は、依頼ＵＲＩの翻訳依頼の発注から完了までの期間が表示される欄である。翻訳期間は、依頼ＵＲＩ入力画面（図１１参照）より依頼ＵＲＩが入力された際、入力された依頼ＵＲＩの示す依頼コンテンツ及び言語の情報に基づき所定の算出方法により算出され、ハードディスク装置１５のその他の情報記憶エリア１５９（図３参照）に一時的に記憶される。翻訳期間欄には、記憶されている翻訳期間が読み出され表示される。
【００４３】
翻訳料金欄は翻訳料金が表示される欄であり、依頼単価欄は依頼単価が表示される欄であり、募集口数欄は募集口数が表示される欄である。翻訳料金、依頼単価、募集口数は、依頼ＵＲＩ入力画面（図１１参照）より依頼ＵＲＩが入力された際、入力された依頼ＵＲＩの示す依頼コンテンツの翻訳ニーズに基づき、依頼条件記憶エリア１１２（図６参照）により決定され、ハードディスク装置１５のその他の情報記憶エリア１５９（図３参照）に記憶される。翻訳料金欄、依頼単価欄、募集口数欄には、記憶されている翻訳料金、依頼単価、募集口数が読み出され表示される。
【００４４】
申込口数欄は、翻訳依頼者が依頼コンテンツの翻訳依頼と同時に申し込む申込口数を入力するための欄である。入力された申込口数は、ハードディスク装置１５のその他の情報記憶エリア１５９（図５参照）に一時的に記憶される。利用料金欄は、翻訳利用者が既に翻訳のなされた翻訳結果コンテンツを取得するために必要な利用料金を入力するための欄である。入力された利用料金は、ハードディスク装置１５のその他の情報記憶エリア１５９（図３参照）に一時的に記憶される。
【００４５】
発注期限日欄及び納付期限日欄には、選択ボックスにより択一選択されることにより、いずれかの情報が入力される。これらのうち、発注期限日欄は、翻訳依頼者が希望する発注期限日が入力される欄であり、納付期限日入力欄は、翻訳依頼者が希望する納付期限日が入力される欄である。発注期限日と納付期限日とは『「納付期限日」＝「発注期限日」＋「翻訳期間」』の関係が成立する。そして、発注期限日欄が選択され入力された場合は、納付期限日が自動的に算出され、入力された発注期限日の情報とともにその他の情報記憶エリア１５９（図３参照）に記憶される。納付期限日が選択され入力された場合は、発注期限日が自動的に算出され、入力された納付期限日とともにその他の情報記憶エリア１５９（図３参照）に記憶される。
【００４６】
また、「ＯＫ」ボタンは、表示されている内容（翻訳対象ＵＲＩ、翻訳期間、翻訳料金、依頼単価、募集口数、申込口数、利用料金、発注期限日、納付期限日）を確定する場合に押下される。「ＯＫ」ボタンが押下されると、その他の情報記憶エリア１５９（図３参照）に記憶されている依頼ＵＲＩ、翻訳期間、翻訳料金、依頼単価、募集口数、利用料金は、依頼ＤＢ１５１２（図９参照）の依頼ＵＲＩ欄、翻訳期間欄、翻訳料金欄、依頼単価欄、募集口数欄、利用料金欄にそれぞれ記憶され、同一エントリの翻訳依頼番号欄に新しい翻訳依頼番号が記憶される。また、申込口数は、翻訳依頼者の翻訳依頼者番号、及び、新しく記憶された翻訳依頼番号とともに、依頼状況記憶エリア１５４（図１０参照）の翻訳依頼番号欄、翻訳依頼者番号欄、及び申込口数欄に記憶される。
【００４７】
また「キャンセル」ボタンは、入力欄に入力された情報を無効とする場合に押下される。「キャンセル」ボタンが押下されると、その他の情報記憶エリア１５９（図５参照）に一時的に記憶された情報は削除され、依頼条件入力画面が閉じられ、依頼ＵＲＩ入力画面（図１１参照）に戻る。
【００４８】
例えば、図１２に示す例においては、依頼ＵＲＩが「http://bbbb.com」である依頼コンテンツの翻訳を依頼するものであり、翻訳期間は「２８日」であり、翻訳料金は「８００,０００円」であり、依頼単価は「２０，０００円」であり、募集口数は「４０口」であり、申込口数として「１０口」が入力されており、利用料金として「２５，０００円」が入力されており、発注期限日として「２００７年１１月１０日」が入力されている。
【００４９】
次に、図１３を参照し、参加条件入力画面の一例について説明する。参加条件入力画面は、既に他の翻訳依頼者よりなされている翻訳依頼に依頼参加者として参加するために、条件を入力するための画面であり、依頼ＵＲＩ入力画面（図１１参照）にて依頼ＵＲＩ等が入力された場合において、同一の依頼ＵＲＩが既に依頼ＤＢ１５１２（図９参照）の依頼ＵＲＩ欄に記憶されている場合に、クライアント２（図１参照）より表示される。
【００５０】
図１３に示すように、参加条件入力画面には、翻訳対象ＵＲＩ欄、翻訳期間欄、翻訳料金欄、依頼単価欄、募集口数欄、申込口数欄、申込済口数欄、利用料金欄、発注期限日欄、納付期限日欄、「ＯＫ」ボタン、「キャンセル」ボタンが設けられている。このうち、翻訳対象ＵＲＩ欄、翻訳期間欄、翻訳料金欄、依頼単価欄、募集口数欄、利用料金欄、発注期限日欄には、依頼ＤＢ１５１２の依頼ＵＲＩ欄、翻訳期間欄、翻訳料金欄、依頼単価欄、募集口数欄、利用料金欄（図９参照）がそれぞれ読み出され、表示される。納付期限日欄には依頼ＤＢ１５１２の前記翻訳期間欄、発注期限日欄から読み出された翻訳期間と発注期限日から算出される納付期限日が表示される。また、申込済口数欄には、表示中の依頼ＵＲＩに対して申し込まれている申込口数の総計が依頼状況記憶エリア１５４（図１０参照）の申込口数欄の申込口数より算出され、表示される。
【００５１】
翻訳対象ＵＲＩ欄は、依頼ＵＲＩが表示される欄であり、翻訳期間欄は、依頼ＵＲＩの翻訳依頼が発注されてから完了までの期間が表示される欄であり、翻訳料金欄は、翻訳料金が表示される欄であり、依頼単価欄は依頼単価が表示される欄であり、募集口数欄は募集口数が表示される欄である。申込口数欄は、依頼参加者が依頼コンテンツの翻訳依頼と同時に申し込む申込口数を入力するための欄である。入力された口数は、ハードディスク装置１５のその他の情報記憶エリア１５９（図５参照）に一時的に記憶される。申込済口数は、翻訳依頼者からの申込口数の総計が表示される欄である。
【００５２】
また、「ＯＫ」ボタンは、入力した申込口数を確定する場合に押下される。「ＯＫ」ボタンが押下されると、その他の情報記憶エリア１５９（図３参照）に記憶されている申込口数は、依頼参加者の翻訳依頼者番号、及び、翻訳依頼番号の情報とともに、依頼状況記憶エリア１５４の翻訳依頼番号欄、翻訳依頼者番号欄、及び、申込口数欄（図１０参照）に記憶される。
【００５３】
また「キャンセル」ボタンは、入力欄に入力された申込口数を無効とする場合に押下される。「キャンセル」ボタンが押下されると、その他の情報記憶エリア１５９（図３参照）に一時的に記憶された申込口数は削除され、依頼条件入力画面が閉じられ、依頼ＵＲＩ入力画面（図１１参照）に戻る。
【００５４】
例えば、図１３に示す例においては、依頼ＵＲＩが「http://bbbb.com」である依頼コンテンツの翻訳を依頼するものであり、翻訳期間は「２８日」であり、翻訳料金は「８００,０００円」であり、依頼単価は「２０，０００円」であり、募集口数は「４０口」であり、申込口数として「５口」が入力されており、申込済口数は「２５口」であり、利用料金は「２５，０００円」であり、発注期限日は「２００７年１１月１０日」であり、納付期限日は「２００７年１２月８日」である。
【００５５】
以上のように、翻訳依頼者及び翻訳依頼者は、クライアント２（図１参照）を介し翻訳条件を入力することにより、依頼コンテンツの翻訳依頼が可能となる。また、複数の翻訳依頼者が共同して翻訳を依頼することが可能となり、各翻訳者の翻訳依頼に必要な料金負担が軽減する。さらに、依頼コンテンツの翻訳ニーズを決定し、この翻訳ニーズを基に、翻訳料金、募集口数、及び依頼単価を決定することにより、適切な料金と募集規模の設定が可能となる。
【００５６】
次に、図１４〜図１９を参照し、翻訳依頼者が依頼コンテンツの翻訳を依頼する場合の処理について説明する。図１４は、翻訳依頼処理のメインフローチャートであり、図１５は、翻訳依頼登録処理のフローチャートであり、図１６は、依頼条件決定処理のフローチャートであり、図１７は、ニーズ算出処理のフローチャートであり、図１８は、発注処理フローチャートであり、図１９は、依頼参加処理のフローチャートである。
【００５７】
はじめに、図１４を参照し、翻訳依頼処理のメインフローチャートについて説明する。翻訳依頼処理では、翻訳依頼者、依頼参加者、及び翻訳利用者がクライアント２（図１参照）を介して入力される情報を受け、翻訳依頼の登録処理、翻訳依頼参加処理、翻訳者への発注処理、翻訳利用者による利用処理等を実行する。
【００５８】
図１４に示すように、翻訳依頼処理では、はじめに、依頼ＵＲＩ入力画面（図１１参照）をクライアント２（図１参照）に表示し、翻訳依頼者より、依頼ＵＲＩと翻訳先言語を受け付ける（Ｓ１０１）。次に、既に同一の依頼コンテンツについて翻訳依頼がなされているか否かを判断し、いまだ翻訳依頼がなされていない場合には、新規に翻訳依頼の登録を行う翻訳依頼登録処理（Ｓ１１７、図１５参照、後述）を実行する。また、既に翻訳依頼がなされている場合には、依頼参加者となって依頼済の翻訳依頼に参加する依頼参加処理（Ｓ１２１、図１９参照）、又は、翻訳利用者となって翻訳結果コンテンツを利用する翻訳利用処理（Ｓ１１９，Ｓ１２０）を実行する。
【００５９】
翻訳依頼がなされているか否かの判断は、依頼ＵＲＩ入力画面（図１１参照）において入力された依頼ＵＲＩと同一のＵＲＩが、依頼ＤＢ１５１２（図９参照）の依頼ＵＲＩ欄に記憶されているかどうかを判断することにより行う（Ｓ１０３）。同一のＵＲＩが記憶されていない場合（Ｓ１０３：ＮＯ）、いまだ翻訳依頼がなされていないと判断し、入力された依頼ＵＲＩについて新規に翻訳依頼の登録を行う翻訳依頼登録処理（Ｓ１１７、図１５参照、後述）を実行する。翻訳依頼登録処理により、翻訳依頼が登録され、そして、他の翻訳依頼者（依頼参加者）から申し込まれる申込口数との総計が募集口数以上となった時点で、翻訳者に対して翻訳依頼の発注がなされる。
【００６０】
一方、入力された依頼ＵＲＩと同一のＵＲＩが既に依頼ＤＢ１５１２（図９参照）の依頼ＵＲＩ欄に記憶されている場合（Ｓ１０３：ＹＥＳ）、既に他の翻訳依頼者により翻訳依頼がなされているので、次に、依頼ＵＲＩの示す依頼コンテンツの翻訳が既に完了しており、翻訳結果コンテンツが登録されているか否かを判断する（Ｓ１０５）。この判断は、依頼ＤＢ１５１２（図９参照）の翻訳結果ＵＲＩ欄に翻訳コンテンツの所在を示すＵＲＩが記憶されているか否かにより行う。依頼ＤＢ１５１２（図９参照）の翻訳結果ＵＲＩ欄にＵＲＩが記憶されている場合（Ｓ１０５：ＹＥＳ）、依頼コンテンツの翻訳は既に完了し、翻訳結果コンテンツが登録されているので、翻訳依頼者は翻訳利用者となって、当該翻訳結果コンテンツを利用する処理（Ｓ１０７〜Ｓ１２０）が行われる。
【００６１】
翻訳コンテンツを利用する処理（Ｓ１０７〜Ｓ１２０）では、はじめに、依頼コンテンツが変更されているかどうかが判断される（Ｓ１０７）。依頼コンテンツが変更されていれば、既に翻訳されている翻訳結果コンテンツがそのまま利用できず、再翻訳が必要となるためである。依頼コンテンツが変更されているか否かの判断は、依頼ＤＢ１５１２（図９参照）の原文ＵＲＩ欄に記憶されているＵＲＩが示す原文コンテンツを取得し、依頼ＵＲＩ欄に記憶されているＵＲＩが示す現在の依頼コンテンツと比較することにより行う。そして、２つの内容に違いがなければ、翻訳時点から依頼コンテンツに変更はない（Ｓ１０７：ＮＯ）、つまり、新たな翻訳の必要はないので、翻訳依頼者は翻訳利用者となり、翻訳結果コンテンツを入手するための翻訳利用処理が行われる（Ｓ１１９、Ｓ１２０）。具体的には、依頼ＤＢ１５１２（図９参照）の利用料金欄に記憶されている利用料金をクライアント２（図１参照）に表示して翻訳利用者に提示する。そして、利用料金の支払い要求をクレジットカード会社のサーバ（図示外）に対して送信し（利用料金支払ステップ）、支払手続きが完了したことを確認する（利用料金支払確認ステップ）（Ｓ１１９）。そして、翻訳結果コンテンツをクライアント２（図１参照）に表示し、翻訳利用者に提供する（Ｓ１２０）。このことにより、翻訳利用者は利用料金の支払いを条件に翻訳結果コンテンツを取得することが可能となっている。
【００６２】
一方、翻訳時点から依頼コンテンツに変更があった場合には（Ｓ１０７：ＹＥＳ）、次に翻訳依頼者に対して、変更前の依頼コンテンツに基づく翻訳結果コンテンツを利用するか、再翻訳をするかを選択させるための処理を行う（Ｓ１０９〜Ｓ１１５）。はじめに、依頼ＤＢ１５１２（図９参照）の原文ＵＲＩ欄に記憶されているＵＲＩの示す原文コンテンツと、依頼ＵＲＩ欄に記憶されているＵＲＩの示す依頼コンテンツとを比較する。そして、その差異部分がコンテンツ全体に占める割合を算出し、クライアント２（図１参照）に表示する（Ｓ１０９）。次に、翻訳結果コンテンツが作成された日時の情報をクライアント２（図１参照）に表示する（Ｓ１１１）。そして、これらの情報を元に、翻訳依頼者に対して、既に翻訳済みの翻訳結果コンテンツを利用するか、変更後の依頼コンテンツについて再翻訳を依頼するかの選択を促す（Ｓ１１３）。翻訳依頼者が依頼コンテンツの再翻訳を選択した場合（Ｓ１１５：ＹＥＳ）、新規に翻訳依頼の登録を行う翻訳依頼登録処理（Ｓ１１７、図１５参照、後述）に移行して、変更後の依頼コンテンツについての翻訳依頼登録を実行する。一方、翻訳依頼者が翻訳結果コンテンツを利用すると判断した場合（Ｓ１１５：ＮＯ）、翻訳依頼者は翻訳利用者となり、翻訳結果コンテンツを入手するための翻訳利用処理を行う（Ｓ１１９、Ｓ１２０）。具体的には、依頼ＤＢ１５１２（図９参照）の利用料金欄に記憶されている利用料金をクライアント２（図１参照）に表示して翻訳利用者に提示する。そして、利用料金の支払い要求をクレジットカード会社のサーバに対して送信し（利用料金支払ステップ）、支払手続きが完了したことを確認する（利用料金支払確認ステップ）（Ｓ１１９）。そして、翻訳結果コンテンツをクライアント２（図１参照）に表示し、翻訳結果コンテンツを翻訳利用者に提供する（Ｓ１２０）。以上の処理を実行することにより、翻訳依頼者は、依頼コンテンツの翻訳が完了しており、翻訳結果コンテンツが登録されている場合であっても、依頼コンテンツが変更されている場合は、変更前の依頼コンテンツを翻訳した翻訳結果コンテンツを利用するか、変更後の依頼コンテンツを再翻訳するかを選択することが可能となる。
【００６３】
一方、依頼ＤＢ１５１２（図９参照）の翻訳結果ＵＲＩ欄にＵＲＩが記憶されていない場合（Ｓ１０５：ＮＯ）、他の翻訳依頼者により翻訳依頼が登録されているものの、いまだ依頼コンテンツの翻訳は完了していない状態ということになる。そこで次に、翻訳者に対して依頼コンテンツの翻訳依頼の発注が既になされ、翻訳作業を開始しているか、又は、依頼コンテンツの翻訳依頼の発注はなされておらず、依頼参加者からの申込口数の申し込みを受け付けている最中であるかを判断する（Ｓ１２３）。この判断は、依頼ＤＢ１５１２（図９参照）の発注状況欄に記憶されている情報により行う。発注状況欄に「発注済み」が記憶されており、依頼コンテンツの翻訳の発注が既になされている場合には（Ｓ１２３：ＹＥＳ）、依頼参加者となって、共同で翻訳依頼を行うことができず、翻訳作業完了後に、翻訳利用者となって翻訳結果コンテンツを利用するための手続き（Ｓ１１９、Ｓ１２０）を行う必要がある。そこで、翻訳完了後に翻訳依頼者に対して翻訳結果コンテンツの利用を促すための通知を行うため、クライアント２（図１参照）より連絡先情報入力画面（図示外）を表示する（Ｓ１２５）。連絡先情報入力画面を介して入力された連絡先情報は、翻訳依頼者情報記憶エリア１５２（図８参照）の翻訳完了連絡先欄に記憶する。
【００６４】
一方、依頼ＤＢ１５１２（図９参照）の発注状況欄に「未発注」が記憶されており、依頼コンテンツの発注がなされていない場合（Ｓ１２３：ＮＯ）、翻訳依頼者は依頼参加者となって翻訳依頼に参加するため、依頼参加処理（Ｓ１２１、図１９、後述）を実行する。依頼参加処理においては、依頼参加者は、申込口数を申込むことにより、翻訳依頼者及び他の依頼参加者と共同で依頼コンテンツの翻訳依頼を行うことができる。
【００６５】
次に、図１５を参照し、翻訳依頼登録処理について説明する。図１５に示すように、翻訳依頼登録処理では、はじめに、依頼ＵＲＩ入力画面（図１１参照）にて翻訳依頼者より入力された依頼ＵＲＩの示す依頼コンテンツの翻訳を発注する翻訳者を決定する（Ｓ１５１）。翻訳者は、翻訳者情報記憶エリア１５１（図７参照）に記憶されている翻訳者のうち、依頼された依頼コンテンツの記載言語を翻訳先言語に翻訳できる翻訳者を検索し決定する。具体的には、依頼ＵＲＩ入力画面（図１１参照）を介して入力された依頼ＵＲＩにて特定される依頼コンテンツの記載言語と翻訳先言語とを参照し、これらの言語が翻訳者情報記憶エリア１５１の翻訳可能言語欄（図７参照）に記憶されている翻訳者を選定する（Ｓ１５１）。選定した翻訳者が複数の場合はいずれか一名を選択する。そして、選択した翻訳者の情報を、ハードディスク装置１５のその他の情報記憶エリア１５９（図３参照）に一時的に記憶し、次に、翻訳依頼条件を決定する処理である、依頼条件決定処理（Ｓ１５３）を実行する。
【００６６】
次に、図１６及び図１７を参照し、依頼条件決定処理について説明する。図１６に示すように、依頼条件決定処理では、はじめに、依頼コンテンツのニーズを算出するニーズ算出処理を実行する（Ｓ１８１）。
【００６７】
図１７に示すように、まず、リンク管理ＤＢ１５１１（図４参照）から１つのエントリが取得される（Ｓ１８５）。そして、全てのエントリを処理したか否かの判断が行われる（Ｓ１８７）。Ｓ１８５で読み出すエントリがなければ、全てのエントリを処理したと判断される（Ｓ１８７：ＹＥＳ）。Ｓ１８５でエントリが読み出されていれば、まだ全てのエントリを処理していないので（Ｓ１８７：ＮＯ）、読み出されたエントリのリンク先ＵＲＩ欄に記憶されているリンク先コンテンツが依頼コンテンツと同一であるか否かの判断が行われる（Ｓ１８９）。リンク先ＵＲＩ欄のＵＲＩと依頼ＵＲＩ欄のＵＲＩとが同じであれば、リンク先ＵＲＩコンテンツは依頼コンテンツであると判断される（Ｓ１８９：ＹＥＳ）。リンク先コンテンツが依頼コンテンツでなければ（Ｓ１８９：ＮＯ）、翻訳ニーズ決定には関係ないので、Ｓ１８５へ戻り、次のエントリが取得される（Ｓ１８５）。
【００６８】
また、リンク先コンテンツが依頼コンテンツであれば（Ｓ１８９：ＹＥＳ）、当該エントリのリンク元ＵＲＩ欄のＵＲＩに基づいてリンク元コンテンツが取得され、そのＨＴＭＬデータがＲＡＭ１１のリンク元コンテンツデータ記憶エリア（図示外）に記憶される（Ｓ１９１）。そして、リンク元コンテンツを記載している言語（以降、「リンク元言語」という。）が取得され、ＲＡＭ１１のリンク元言語記憶エリア（図示外）に記憶される（Ｓ１９３）。なお、リンク元言語は、ＨＴＭＬタグのlang属性やＸＭＬのxml:lang属性などで示される言語コードを参照することで検出できる。そして、取得されたリンク元コンテンツのＨＴＭＬデータに記載されている、依頼コンテンツへのリンク記述が抽出され、計数され、ＲＡＭ１１のリンク記述数記憶エリア（図示外）に記憶される（Ｓ１９５）。そして、計数されたリンク記述の数が翻訳ニーズ記憶エリア１１１のリンク元言語の登録数欄に加算される（Ｓ１９７）。そして、Ｓ１８５へ戻り、次のエントリが取得される。
【００６９】
そして、Ｓ１８５〜Ｓ１９７の処理が繰り返し行われ、全てのエントリの処理が行われたら（Ｓ１８７：ＹＥＳ）、言語ごとにニーズが決定される（Ｓ１９９）。本実施の形態においては、登録数欄に記憶されている登録数がそのまま翻訳ニーズを示す値とされる。そして、ニーズ算出処理は終了し、依頼条件決定へ戻る。
【００７０】
以上のようにして、依頼コンテンツをリンク先としているコンテンツ（以降「リンク元コンテンツ」という。）を取得し、そのリンク元コンテンツに記載されているリンク記述の数を計数して、依頼コンテンツに対する関心度を数値化して、翻訳ニーズを決定することができる。
【００７１】
ニーズ算出処理が終了すると、図１６に示すように、依頼条件決定処理において、ニーズ算出処理において算出した翻訳ニーズの値を元に、翻訳料金、募集口数、及び依頼単価を決定する（Ｓ１８３）。ニーズ算出処理（図１７参照）にて算出し、翻訳ニーズ記憶エリア１１１（図５参照）のニーズ欄（図５参照）に記憶した値のうち、依頼ＤＢ１５１２の翻訳先言語（図９参照）と同一の言語を含むエントリの翻訳ニーズ（図５参照）を選択する。そして、依頼条件記憶エリア１１２（図６参照）におけるニーズ欄を参照し、選択した翻訳ニーズが含まれる翻訳ニーズの範囲（「〜１０」「１１〜５０」「５１〜１００」「１０１〜５００」「５０１〜」）のエントリの翻訳料金、募集口数、及び依頼単価を抽出し、依頼条件として決定する。そして依頼条件決定処理を終了して翻訳依頼登録処理（図１５）に戻る。
【００７２】
依頼条件決定処理において依頼条件（翻訳料金、募集口数、依頼単価）を決定した後、図１５に示すように、決定した依頼条件を依頼条件入力画面（図１２参照）を介して翻訳依頼者クライアント２６（図１参照）より表示し、翻訳依頼の条件を翻訳依頼者に提示する（Ｓ１５５）。そして残りの依頼条件を翻訳依頼者より受け付ける（Ｓ１５７）。受け付ける条件は、申込口数と利用料金と発注期限日又は納付期限日である。そして受け付けた値を、ハードディスク装置１５のその他の情報記憶エリア１５９（図３参照）に一時的に記憶する（Ｓ１５７）。
【００７３】
そしてこの条件で「ＯＫ」ボタンが選択されたかどうかを判断する（Ｓ１５９）。「ＯＫ」ボタンが選択された場合（Ｓ１５９：ＹＥＳ）、引き続いて個人情報（氏名、住所、振込口座面、連絡先、クレジットカード番号、クレジットカード期限）の入力が実行される（Ｓ１６１）。クライアント２（図２参照）の表示画面に表示する個人情報入力画面（図示外）を介し、翻訳依頼者により入力された個人情報は、翻訳依頼者情報記憶エリア１５２（図８参照）に記憶し、新たに依頼者番号を割り当てる。次に、依頼ＵＲＩの示すコンテンツを原文コンテンツとして依頼ＤＢ１５１２（図９参照）に保存し（Ｓ１６３）、入力された依頼条件（申込口数、利用料金、発注期限日）と、ハードディスク装置１５のその他の情報記憶エリア１５９（図１参照）に記憶されている依頼条件（翻訳依頼者、翻訳者、翻訳元言語、翻訳先言語、依頼ＵＲＩ、翻訳期間、翻訳料金、依頼単価、募集口数）を依頼ＤＢ１５１２（図９参照）に記憶し、翻訳依頼番号を割り当てる。また、翻訳依頼者の翻訳依頼者番号と、割り当てた翻訳依頼番号と、入力された申込口数とを、依頼状況記憶エリア１５４（図１０参照）に記憶する（Ｓ１６７）。
【００７４】
次に、依頼ＤＢ１５１２（図９参照）の翻訳料金欄に記憶されている金額と、申し込まれた申込口数の総計に依頼単価を乗算した金額（以降「申込合計料金」という。）とを比較する（Ｓ１６９）。申込合計料金は、依頼状況記憶エリア１５４（図１０参照）の翻訳依頼番号欄に記憶されている翻訳依頼番号が、Ｓ１６７にて割り当てられた翻訳依頼番号と同一番号であるエントリの口数を合計し、依頼単価を乗算することにより算出する。そして、申込合計料金が翻訳料金以上となった場合に（Ｓ１６９：ＹＥＳ）、翻訳者に対する発注処理を実行する（Ｓ１７１）。
【００７５】
次に、図１８を参照し、発注処理について説明する。図１８に示すように、発注処理では、はじめに、各翻訳依頼者より申し込まれた申込口数に依頼単価を乗算した金額の料金（以降「申込料金」という。）を請求する。具体的には、申込料金の支払い要求をクレジットカード会社のサーバ（図示外）に対して送信し（申込料金支払いステップ）、支払手続きが完了したことを確認する（申込料金支払確認ステップ）。支払依頼のための個人情報は、Ｓ１５９にて入力された個人情報におけるクレジットカード番号、及びクレジットカード期限を参照する。そして、申込料金支払確認ステップにおいて、依頼状況記憶エリア１５４（図１０参照）に記憶されている、対象とする翻訳依頼番号を含むエントリの翻訳依頼者すべてから申込料金支払いを確認した場合（Ｓ２０３：ＹＥＳ）、Ｓ１５１（図１４参照）にて定めた翻訳者に対して翻訳依頼を通知し（Ｓ２０５）、依頼ＤＢ１５１２（図９参照）の状態欄に「発注済み」の情報を記憶して（Ｓ２０７）処理を終了し、翻訳依頼登録処理（図１５参照）に戻る。一方、翻訳依頼者からの申込料金支払いの確認ができなかった場合（Ｓ２０３：ＮＯ）、支払要求を取り消して返金し（Ｓ２０９）、依頼状況記憶エリア１５４（図１０参照）のうち支払手続きに失敗した翻訳依頼者を含むエントリを削除してリストから除外し（Ｓ２１１）、除外した翻訳依頼者に除外した旨の通知を行って（Ｓ２１３）、処理を終了し、翻訳依頼登録処理（図１５参照）に戻る。
【００７６】
以上の処理により、翻訳依頼者による翻訳依頼の登録が可能となる。また、依頼コンテンツの翻訳ニーズに応じた翻訳料金と募集口数、及び依頼単価を決定することが可能になる。このことにより、例えば、依頼コンテンツのニーズが低い場合は、翻訳依頼者の人数も少ないことが想定されるため、募集口数を小さくすることにより、実際の応募口数が募集口数に到達せず翻訳依頼がなされない状況を回避することができる。また例えば、依頼コンテンツのニーズが高い場合は、翻訳依頼者の人数が多いことが想定されるため、募集口数を大きく、依頼単価を安く設定することにより、各翻訳依頼者の料金負担を軽減することが可能となる。
【００７７】
次に図１９を参照し、依頼参加処理について説明する。依頼参加処理では、翻訳依頼者の依頼する依頼コンテンツと同一の依頼コンテンツが既に他の翻訳依頼者により翻訳依頼登録されている場合に、翻訳依頼者は依頼参加者となり、申込口数を申し込むことによって、翻訳依頼者及び他の依頼参加者と共同して依頼コンテンツの翻訳依頼を行うものである。なお、依頼参加処理は、翻訳依頼処理（図１４参照）において説明したように、Ｓ１０１（図１４参照）において、クライアント２（図１参照）に表示される依頼ＵＲＩ入力画面（図１１参照）を介して入力された依頼ＵＲＩと同一のＵＲＩが、既に依頼ＤＢ１５１２（図９参照）の依頼ＵＲＩ欄に記憶されており、且つ、発注状況欄に「未発注」が記憶されており、まだ翻訳者に対して翻訳依頼の発注がなされていない場合に実行される処理である。
【００７８】
図１９に示すように、依頼参加処理では、はじめに、参加者条件入力画面（図１３参照）をクライアント２（図１参照）に表示し、翻訳対象ＵＲＩ、翻訳期間、翻訳料金、依頼単価、募集口数、申込済口数、発注期限日、及び納付期限日を表示する（Ｓ３０１）。次に、申込口数欄より、依頼参加者が申し込む申込口数を受け付ける（Ｓ３０３）。
【００７９】
そして、この状態で「ＯＫ」ボタンが選択され、入力条件が確定した場合（Ｓ３０５：ＹＥＳ）、引き続いて、分担金の徴収等のために個人情報（氏名、住所、振込口座面、連絡先、クレジットカード番号、クレジットカード期限）の入力画面（図示外）を表示し、個人情報の入力を受け付ける（Ｓ３０７）。そして、入力された個人情報は翻訳依頼者情報記憶エリア１５２（図８参照）に記憶され、新たな依頼者番号を割り当てる。そして、入力された申込口数を、翻訳依頼者番号とともに依頼状況記憶エリア１５４（図１０参照）の翻訳依頼者番号欄及び申込口数欄に記憶する（Ｓ３０９）。
【００８０】
次に、登録されている依頼ＤＢ１５１２（図９参照）の翻訳料金と、申込合計料金とを比較する（Ｓ３１１）。申込合計料金は、依頼状況記憶エリア１５４（図１０参照）の翻訳依頼番号欄に記憶されている翻訳依頼番号が、Ｓ３０９にて割り当てられた翻訳依頼番号と同一番号であるエントリの口数を合計し、依頼単価を乗算することにより算出する。そして、申込合計料金が翻訳料金以上となった場合に（Ｓ３１１：ＹＥＳ）、翻訳者に対する発注処理（図１８参照）を実行する（Ｓ３１３）。発注処理では、申込料金の請求を行った後（Ｓ２０１、図１８参照）、翻訳者に対して翻訳依頼の通知を行う（Ｓ２０５、図１８参照）。このようにして、翻訳者に対して翻訳依頼がなされる。以上の処理を実行することにより、依頼コンテンツの翻訳を要望する依頼参加者が申込口数を申し込むことにより、翻訳依頼者及び他の依頼参加者と共同で依頼コンテンツの翻訳を依頼することが可能となる。
【００８１】
以上にて説明したように、翻訳依頼者及び依頼参加者が共通のコンテンツの翻訳依頼に対して申込料金を分担して支払い、共同で翻訳依頼を行うことにより、各人の料金負担を軽減することが可能となる。また、依頼コンテンツの翻訳ニーズを算出することにより、適切な翻訳料金、募集口数、及び依頼単価を決定することが可能となる。このことにより、翻訳ニーズの低い依頼コンテンツについては、募集口数を小さく設定することにより、実際の申込口数が募集口数に到達せず、翻訳依頼がなされない状況を回避することが可能となる。また、翻訳ニーズの高い依頼コンテンツについては、申込口数は大きくなることが想定されるから、募集口数を大きく設定し、一口当たりの依頼単価を低く設定することにより、翻訳依頼者の料金負担を軽減することが可能となる。
【００８２】
なお、図１におけるクライアント２が、本発明の「ユーザ端末」に該当する。また、図９に示す依頼ＤＢ記憶エリア１５３に記憶されている依頼ＤＢ１５１２が、本発明の「翻訳依頼情報」に該当し、図７に示す翻訳者情報記憶エリア１５１に記憶されている情報が、本発明の「翻訳者情報」に該当し、図５に示す翻訳ニーズ記憶エリア１１１に記憶されている情報が、本発明の「翻訳ニーズ情報」に該当し、図１０に示す依頼状況記憶エリア１５４における申込口数が、本発明の「口数情報」に該当し、図９に示す依頼ＤＢ記憶エリア１５３における募集口数が、本発明の「翻訳依頼口数」に該当し、図９に示す依頼ＤＢ記憶エリア１５３における依頼単価が、本発明の「依頼単価料金」に該当し、図９に示す依頼ＤＢ記憶エリア１５３における翻訳料金が、本発明の「翻訳総計料金」に該当し、図１に示す依頼ＤＢ１５１２が、本発明の「翻訳者情報記憶手段」に該当する。
【００８３】
また、図１４に示す翻訳依頼処理におけるＳ１０１が、本発明の「依頼情報受付ステップ」に該当し、図１５に示す翻訳依頼登録処理におけるＳ１５１が、本発明の「翻訳者決定ステップ」に該当し、図１６に示す依頼条件決定処理におけるＳ１８３が、本発明の「翻訳料金決定ステップ」に該当し、図１７に示すニーズ算出処理が、本発明の「ニーズ算出ステップ」に該当し、図１５に示す翻訳依頼登録処理におけるＳ１５５、図１９に示す依頼参加処理におけるＳ３０３が、本発明の「依頼口数受付ステップ」に該当し、図１８に示す発注処理におけるＳ２０１が、本発明の「料金請求ステップ」に該当し、図１８に示す発注処理におけるＳ２０５が、本発明の「翻訳依頼通知ステップ」に該当する。
【００８４】
なお、本発明の翻訳依頼管理方法は、上記に説明した実施形態に限定されるものではなく、本発明の要旨を逸脱しない範囲内において変更を加えることは可能である。
【００８５】
上記実施形態においては、リンク元コンテンツのリンク先コンテンツへのリンク記述に応じて翻訳ニーズを算出したが、このニーズ算出方法に限定されるものではない。従って、リンク元コンテンツの数によってニーズを算出してもかまわないし、他の手法により翻訳ニーズを算出してもかまわない。
【００８６】
また、上記実施形態においては、翻訳ニーズに対応する依頼条件（翻訳料金、募集口数、依頼単価）を対応表としてあらかじめ定めておき、算出した翻訳ニーズを当該対応表に当てはめることにより翻訳条件を決定したが、これに限定されるものではない。従って、翻訳ニーズを引数とする所定の関数を定め、翻訳条件を算出してもよい。
【００８７】
また、上記実施形態においては、翻訳ニーズに対応する依頼条件として、翻訳料金、募集口数、及び依頼単価を一律に定めているが、『「翻訳料金」＝「募集口数」×「依頼単価」』の関係を満たしていれば、これに限定されるものではない。従って、翻訳ニーズにより翻訳料金を定め、『「翻訳料金」＝「募集口数」×「依頼単価」』の関係を満たすような募集口数及び依頼単価を他のパラメータ等を参照して決定してもよい。
【図面の簡単な説明】
【００８８】
【図１】翻訳依頼システムの概要を示す模式図である。
【図２】翻訳ニーズ決定の説明図である。
【図３】管理サーバ１のハードウェア構成を示す模式図である。
【図４】リンク管理ＤＢ１５１１の構成の一例を示す模式図である。
【図５】翻訳ニーズ記憶エリア１１１の構成の一例を示す模式図である。
【図６】依頼条件記憶エリア１１２の構成の一例を示す模式図である。
【図７】翻訳者情報記憶エリア１５１の構成の一例を示す模式図である。
【図８】翻訳依頼者情報記憶エリア１５２の構成の一例を示す模式図である。
【図９】依頼ＤＢ記憶エリア１５１２の構成の一例を示す模式図である。
【図１０】依頼状況記憶エリア１５４の構成の一例を示す模式図である。
【図１１】翻訳依頼者が依頼ＵＲＩを入力する依頼ＵＲＩ入力画面の一例である。
【図１２】翻訳依頼者が応募口数や利用料金等の依頼条件を入力する依頼条件入力画面の一例である。
【図１３】依頼参加者が応募口数を入力する参加条件入力画面の一例である。
【図１４】翻訳依頼処理のメインフローチャートである。
【図１５】翻訳依頼登録処理のフローチャートである。
【図１６】依頼条件決定処理のフローチャートである。
【図１７】ニーズ算出処理のフローチャートである。
【図１８】発注処理フローチャートである。
【図１９】依頼参加処理のフローチャートである。
【符号の説明】
【００８９】
１            管理サーバ
２            クライアント
３            サーバ
５            インターネット
１５          ハードディスク装置
２６          翻訳依頼者クライアント
２７          翻訳者クライアント
２８          翻訳利用者クライアント
１１１        翻訳ニーズ記憶エリア
１１２        依頼条件記憶エリア
１５１        翻訳者情報記憶エリア
１５１１      リンク管理ＤＢ
１５１２      依頼ＤＢ
１５２        翻訳依頼者情報記憶エリア
１５３        依頼ＤＢ記憶エリア
１５４        依頼状況記憶エリア
【図１】
2009110145.tif 000003
【図２】
2009110145.tif 000004
【図３】
2009110145.tif 000005
【図４】
2009110145.tif 000006
【図５】
2009110145.tif 000007
【図６】
2009110145.tif 000008
【図７】
2009110145.tif 000009
【図８】
2009110145.tif 000010
【図９】
2009110145.tif 000011
【図１０】
2009110145.tif 000012
【図１１】
2009110145.tif 000013
【図１２】
2009110145.tif 000014
【図１３】
2009110145.tif 000015
【図１４】
2009110145.tif 000016
【図１５】
2009110145.tif 000017
【図１６】
2009110145.tif 000018
【図１７】
2009110145.tif 000019
【図１８】
2009110145.tif 000020
【図１９】
2009110145.tif 000021